【事件の表示】
　平成　３年特許願第３２０３９９号「ディスクプレーヤ」拒絶査定に対する審判事件［平成　５年　６月２５日出願公開、特開平　５−１５９４２９］について、次のとおり審決する。
【結　論】
　本件審判の請求は、成り立たない。
【理　由】
［１］本願発明　
　本願発明は、平成３年１２月４日の出願であって、平成１３年７月６日受付の手続補正書によって補正された特許請求の範囲の請求項１に記載された次のとおりのものと認める。（以下、本願発明という。）　
「【請求項１】　
　プレーヤ筐体に防振部材を介して支持され、ディスクが載置されるターンテーブルを回転させるモータおよびディスクの信号を再生するピックアップとを搭載したシャーシと、　
　前記ターンテーブルとの間でディスクを挟持するクランパが取り付けられると共に、前記シャーシに支持されたクランパ板と、　
　前記プレーヤ筐体に挿入されたディスクを前記クランパと前記ターンテーブルとの間にガイドすると共に、前記シャーシに回動可能に支持されたガイド部材と、　
　ディスクを前記クランパと前記ターンテーブルとで挟持すべく前記クランパ板を動作させると共に、前記ガイド部材を前記ディスクから離隔させる動作手段とを備えたことを特徴とするディスクプレーヤ。」　
　
［２］当審の拒絶理由　
　当審において、平成１３年５月７日付けで通知した拒絶の理由で引用例した「特開昭６２−９９９５１号公報」（前述の拒絶の理由に記載した「特開平５−１５９４２９号公報」は「特開昭６２−９９９５１号公報」の誤記である。）（以下、引用例という。）には、図面と共に下記の事項が記載されている。　
（１） 
「１．　駆動ギヤを有する駆動手段と、該駆動ギヤに噛合、分離するラックを有する昇降手段と、昇降手段により固定状態や可動状態の切換を行われる振動絶縁部と、記録円盤の移送手段より成る記録円盤の装着装置において、振動絶縁部に記録円盤を移送時圧着させるローラを設けたことを特徴とする記録円盤の装着装置。」（特許請求の範囲） 
（２）　
「さらに、ピン４３に嵌合する長穴４５を有する左スライドアーム４６がシャーシ８に前後方向摺動可能に付取けられ、右スライドアーム２４と同一方向に摺動する様に配置され、左スライドアーム４６が後方に移動しきったとき、アップスイッチ４７を押す様に配置した端部４８と、前方に移動した時にチャックスイッチ４９を押す端部５０を、左スライドアーム４６に設け、Ｌ字形の長穴５１にはシャーシ８の側面に軸支された上昇レバー５２のピン５３が嵌合されている。また右スライドアーム２４にも同様にシャーシ８側面に軸支された上昇レバー５４のピン５６が嵌合され、上昇レバー５２と５４にそれぞれ形成された円弧部５６，５７が設けられている。またディスク５８を支持回転させるターンテーブル５９と該ターンテーブル５９に対して上下方向に摺動可能に取付配置されたディスクの位置出しをするテーパリング６０を先端に保持してなるディスクモータ６１と、読取ピックアップ部６２と、該ピックアップ部６２を前後方向に移動させる送り機構部（本発明に直接関係しないので図示省略する）を装着し、シャーシ８に固定したダンパーホルダ６３，６４，６５，６６に嵌合嵌着されたダンパ６７，６８，６９，７０にてシャーシ８より振動絶縁される様ピン７１，７２，７３，７４を有するユニットプレート７５が取付けられている。　
　さらにダンパー６７，６９の中心を結んだ線と６８，７０の中心線を結んだ線の交点７６がターンテーブル５９と読取ピックアップ６２の中心を結ぶ線上にほぼ位置する様にダンパー６７，６８，６９，７０が適切に配置してあり、シャーシ８の振動がユニットプレート７５に伝わりにくい様に、シャーシ８に支持されたユニットプレート７５の後部に軸部７７，７８にて軸支され、ターンテーブル５９に対向配置されたマグネット７９を装着したクランパー８０と、それを保持する腕部８１を有し、シャーシ８の内面８’に当接した時、腕部８１がクランパー８０を押し上げる様に構成した板バネよりなるクランパホルダ８２を装着し、さらにディスク５８を移送時シャーシ８に両端軸支された移送ローラ８３に圧着させる圧着ローラ８４を前部に軸支してなり、一端をユニットプレート７５に軸支されたリンク８５，８６により軸支されたディスクウケ８７の軸部８８，８９を軸支してなるクランパアーム９０の両側面に係合ピン９１，９２が前述の上昇レバー５２，５５に当接可能にシャーシ８の穴部９３，９４より突出して設けてある。」（第２頁左下欄第２０行〜第３頁右上欄第３行）　
（３）　
「また移送ローラ８３と圧着ローラ８４はゴム等で形成され芯軸１１４，１１５の間は摩擦で回転を伝え、ディスク固定時キズ付きを防ぐようになっている。」（第３頁左下欄第６行〜第８行）　
（４）　
「次に動作について説明する。ディスク５８を演奏する時は、第３図の状態にてディスクでドア９を押すとドアリンク端部１２０がセンサ１２１をＯＮさせる。・・・・・・・・・・・・・・・・・・。つづいてディスク５８が引込まれ、センサ１１８をしゃ光しなくなると、駆動モータ１９が停止し、プランジャ１３がＯＦＦとなる。これによりバネ１７の力によりドア９が閉じる。かつラック２７はバネ１５の力によりクラッチリンク３０が回動，上昇し駆動ギヤ２３に噛合う（第９図状態）。つぎに制御回路（前述の回路全て）により駆動モータ１９が逆転して駆動ギヤ２３が時計方向に回転する。なお、この時大プーリ１１１は駆動ギヤ２３が逆転しても、長穴１０８の回転角範囲は凸部１０７を押さない為、動力伝達されないので大プーリは回転しない。この為、移送ローラ８３は回転しない。ラック２７が前に移動しラックストッパ３２を乗り越える位置迄動く。その後長穴２５が右スライドアーム２４を押す。これにより右スライドアーム２４が前に移動開始し、回動板４１も回転することにより、左スライドアーム４６も同時に前に移動する。つづいてプッシュカム１０４が上昇し位置決めレバー１０３が上昇する（第９図の状態）。　
　上昇レバー５２と５４が回転するので、クランプアーム９０が下降し、ディスク受け８７もバネ１０６の力により下降する。また同時に圧着ローラ８４が下降する為、ディスク５８が下降し、前側方向位置決めピン１０２と左右方向はディスク受け８７の側壁後方向はピン１１６，１１７により略位置された状態で下降し、ターンテーブル５９に乗せされる。またこの時右スライドアームの前端部３４がストッパリング３７を押し上げ、ドアストッパ３５を下げ、ドア９が開かない様にロックする。また同時にクランパ８０がディスク５８を押さえつけ、左右スライドアーム２４，４６の下面部９９，１００，１０１がピン９８，９７，９６より離れるため、ユニットプレート７５は固定を解除されフリーになる。つづいて左スライドアーム４６の端部５０がチャックスィッチ４９を押す（第１１図）ので、駆動モータ１９が停止し、ディスク装着が完了し、その後制御回路によりターンテーブル６０，ピックアップ６２が動作状態となり演奏を開始する（第１１図の状態）。」（第３頁右下欄第７行〜第４頁右上欄第１４行）  
　
［３］対比　
　本願発明と引用例に記載された発明を対比すると、両者はディスクプレーヤで一致することから、以下（１）〜（３）に両者の発明を詳細に対比する。　
（１）　
　引用例に記載の「シャーシ」「ダンパ」「ユニットプレート」「クランパプレート」は、これらの形状及び機能から、　
　本願発明の「プレーヤ筐体」「防振部材」「シャーシ」「クランパ板」に相当する。　
　
（２）　
　引用例に記載の「圧着ローラ」が上記［２］（３）に記載されたように移送ローラと共同してディスクを移送し、「圧着ローラ」は「ディスク受け」の前部に軸支されており、「前部に圧着ローラを軸支したディスク受け」は、ディスクをガイドするものである。そして「ディスク受け」は、一端をユニットプレート７５に軸支されたリンク８５，８６により軸支され、ユニットプレートに回動可能に軸支されている。ユニットプレートが本願発明のシャーシに相当することから、本願発明と同様に「シャーシに回動可能に支持された」構成である。　
　以上、引用例に記載された「前部に圧着ローラを軸支したディスク受け」は、本願発明の「ガイド部材」に相当するというものである。　
　
（３）
　引用例に記載の「上昇レバー」は、上記［２］（４）に「上昇レバー５２と５４が回転するので、クランプアーム９０が下降し、ディスク受け８７もバネ１０６の力により下降する。」と記載されているように、クランプアームを下降させてクランプとターンテーブルとでディスクを挟持させると共に、ディスク受けを下降させ、「前部に圧着ローラを軸支したディスク受け」をディスクから離れるように動作させることは明かであるから、本願発明の「動作手段」に相当する。　
　
　以上、引用例に記載の発明は、本願発明の構成を全て具備していると認められる。
　
　なお、平成１３年７月６日受付の手続補正書と同日受付の意見書の（２）（ｂ）（ロ）に「本願の発明の詳細な説明の「ガイド板８」と「サブガイド板１２」のいずれか一方のものとしても、あるいは双方のものとしても疑義は生じない。なお、上述した通り、本願の特許請求の範囲に記載された「ガイド部材」は「前記シャーシに回動可能に支持された」ことを特徴とすれば十分であり、その「回動」が本願の発明の詳細な説明の「ガイド板８の回動」や「サブガイド板１２の回動」の何れかであるかを特徴にする必要はない。」と記載しており、本願発明の「ガイド部材」が「ガイド板８」と「サブガイド板１２」のいずれか一方のもの、あるいは双方のものとした場合の何れにおいても、引用例に記載の「前部に圧着ローラを軸支したディスク受け」と相違するところはないことは、上記（２）から明かである。　
　同（２）（ｂ）（ニ）では、「本発明においては、その「動作手段」は、「ディスクを前記クランパと前記ターンテーブルとで挟持すべく前記クランパ板を動作させると共に、前記ガイド部材を前記ディスクから離隔させる」を特徴とするものであって、どのような構成からなるかまでをも特徴とするものではない。」と記載しているが、本願の「動作手段」と同様の動作をする手段は、上記（３）に記載したように引用例の発明に記載されている。　
　また、同（２）（ｃ）（ロ）に、「刊行物に記載の発明における「圧着ローラ８４」は、「…ディスク５８を移送時シャーシ８に両端支持された移送ローラ８３に圧着させる圧着ローラ８４を…（第３頁左上欄）」と記載されている通りのものであり、本発明の「ガイド部材」のように、挿入されたディスクをクランパとターンテーブルとの間にガイドする役目を担っているものではないと思慮する。」と記載している。本願発明のガイド部材が意見書の（２）（ｂ）（ロ）に記載されているようなガイド部材であることによるガイドがどのよう特徴を備えているのか、詳細な説明には説明されておらず、自明な事項でもない、意見書の記載からも明かでははない。結局、上記意見書の主張は認められないものである。　
　
［４］むすび　
　したがって、本願発明は引用例に記載された発明であるから、特許法第２９条第１項第３号の規定により特許を受けることができない。
　よって、結論のとおり審決する。